(57)【特許請求の範囲】
【請求項１】
内部に消火薬剤を充填した有底の管胴と、該管胴の上端開口部に取り付けられるヘッド部と、該ヘッド部に取り付けられた放射ホースと、該放射ホースにより内部消火薬剤をガス圧によって外部一定方向に向けて放射するための操作レバーとからなり、前記管胴上端にはヘッド部を覆うキャップが被嵌され、しかも該キャップは底面に管胴上端の肩部分と略同径の開口部を有するとともに、該開口部から片側の側面にかけて固定ハンドルおよび操作レバー突出用スリットを、また上記開口部から反対側の側面にかけて放射ホース突出用スリットを、それぞれ形成してなり、さらにその上端部には指穴が形成されていることを特徴とした消火器。
【請求項２】
内部に消火薬剤を充填した有底の管胴と、該管胴の上端開口部に取り付けられるヘッド部と、該ヘッド部に取り付けられた放射ホースと、該放射ホースにより内部消火薬剤をガス圧によって外部一定方向に向けて放射するための操作レバーとからなり、前記管胴上端にはヘッド部を覆うキャップが被嵌され、しかも該キャップは底面に管胴上端の肩部分と略同径の開口部を有するとともに、該開口部から片側の側面にかけて固定ハンドルおよび操作レバー突出用スリットを、また上記開口部から反対側の側面にかけて放射ホース突出用スリットを、それぞれ形成してなり、しかも内側に操作レバーの作動を規制する安全ピン（安全栓）が付設されていることを特徴とした消火器。
【発明の詳細な説明】
【０００１】
【発明の属する技術分野】
本発明は工場や事務所、病院、学校、役所、公民館、体育館その他の公共施設、あるいは一般家庭内に設置される可搬式消火器の改良に関し、管胴上端のヘッド部分を被覆して塵埃の付着による汚損を防止するとともに、外観性を良好にし、しかも注意喚起性（視認性）や操作性を向上することを目的とする。
【０００２】
【従来の技術】
従来公知の可搬式消火器は、内部に消火薬剤を充填した有底の管胴と、該管胴の上端開口部に取り付けられるヘッド部と、該ヘッド部に取り付けられた放射ホースと、該放射ホースにより内部消火薬剤をガス圧によって外部一定方向に向けて放射するための操作ハンドルとから構成されている。  しかるに上記した構成の消火器は、そのヘッド部分が複雑に突出して見栄えが悪いばかりでなく、一定の場所に長期間設置すると、ヘッド部分に塵埃が付着し、また雨滴と結合して圧力ガス容器の破封手段が発錆したりし、その清掃作業も容易ではない。  そこでこれまでには管胴やヘッドの全体を透明なビニール袋で覆い、あるいは透明な熱収縮性フィルムにより被覆することもおこなわれている（特開平１０−３３７０８号公報参照）。
【０００３】
【発明が解決しようとする課題】
しかしながら、上記した透明なビニール袋にて覆う場合には、消火器の全体を覆っているために、防塵性には優れるものの緊急使用時においては、いちいちビニール袋を消火器から取り外さなければ使用できず、しかも取り外しに際して操作ハンドルその他の突起部分等に引っ掛かって外しにくいこと、また外部設置の場合には風等により煽られてビニール袋が容易に破損し、風に乗って飛び去ることもある等の問題がある。  さらに熱収縮性フィルムにより被覆する方法にあっては、加熱により収縮されているフィルムが比較的固くなり、緊急の使用時において操作ハンドルの操作を阻害することがあり、必ずしも好ましいものではない。  またそればかりでなく、ヘッド部分が完全に透視できるために外観性の面においても問題があった。
【０００４】
【課題を解決するための手段】
そこで本発明にあっては、上記した従来技術における種々の課題を解決し、デザイン性と視認性に優れるとともに、緊急の使用時において消火作業の障害とならないように工夫したものであって、請求項１の発明は、内部に消火薬剤を充填した有底の管胴と、該管胴の上端開口部に取り付けられるヘッド部と、該ヘッド部に取り付けられた放射ホースと、該放射ホースにより内部消火薬剤をガス圧によって外部一定方向に向けて放射するための操作レバーとからなり、前記管胴上端にはヘッド部を覆うキャップが被嵌され、しかも該キャップは底面に管胴上端の肩部分と略同径の開口部を有するとともに、該開口部から片側の側面にかけて固定ハンドルおよび操作レバー突出用スリットを、また上記開口部から反対側の側面にかけて放射ホース突出用スリットを、それぞれ形成してなり、さらにその上端部には指穴が形成されていることを特徴とした消火器に関する。
【０００５】
また請求項２の発明は、内部に消火薬剤を充填した有底の管胴と、該管胴の上端開口部に取り付けられるヘッド部と、該ヘッド部に取り付けられた放射ホースと、該放射ホースにより内部消火薬剤をガス圧によって外部一定方向に向けて放射するための操作レバーとからなり、前記管胴上端にはヘッド部を覆うキャップが被嵌され、しかも該キャップは底面に管胴上端の肩部分と略同径の開口部を有するとともに、該開口部から片側の側面にかけて固定ハンドルおよび操作レバー突出用スリットを、また上記開口部から反対側の側面にかけて放射ホース突出用スリットを、それぞれ形成してなり、しかも内側に操作レバーの作動を規制する安全ピン（安全栓）が付設されていることを特徴とした消火器にも関する。
【０００９】
上記した構成において、キャップを管胴上端のヘッド部に、その片側に形成したスリットから固定ハンドルおよび操作レバーを、また反対側面に形成したスリットから放射ホースを、それぞれの一部を外方に突出させた状態にて被せるとともに、その開口部を管胴上端の肩部分に嵌合させて装着する。  緊急時においてはキャップを上方に向けて取り外し、安全ピンを抜いた後、操作レバーを操作して管胴内の消火薬剤を、放射ホースを介して一定方向に向けて放射する。
【００１０】
なおこの場合において、図７に示したようにキャップの略上端に、ヘッド部に取り付けられるところの操作レバーの作動を規制する安全ピン（安全栓）の円形フックを外部に突出させるためのピン穴が形成されている場合には、上記安全ピン（安全栓）を引き抜いて操作レバーの規制を解除した後にキャップを取り外して消火薬剤の放射をおこなう。  また図８および図９のようにキャップには、その上端部に指穴が形成されているものである場合においては、キャップの指穴から指先をキャップ内に入れて、内部の安全ピン（安全栓）の円形フックを摘まみ、該安全ピン（安全栓）の引き抜きと同時にキャップを上方に向けて取り外す。
【００１１】
さらに図１０の発明のように管胴上端に被嵌されるところの、ヘッド部を覆うキャップには、内側に操作レバーの作動を規制する安全ピン（安全栓）が付設されている場合においては、キャップを上方に向けて取り外すと同時に安全ピン（安全栓）が引き抜かれて操作レバーの操作が可能な状態となる。  さらにヘッド部を覆うキャップが透明もしくは半透明である場合においては、消火器が設置されている状態において、キャップ内部の安全ピン（安全栓）の抜き取り操作をあらかじめ外部から知らしめることができ、また外部からキャップ内部のＯＫピンなどの使用済み表示の状態が透視され、消火器に触れずにあらかじめ使用可能であるか否かの確認が可能となる。
【００１２】
【発明の実施の形態】
以下において本発明の具体的な内容を図示の実施例をもとに説明すると、図１〜４には本発明の第１実施例があらわされており、図において１は管胴、２はヘッド部、８はキャップをあらわす。  管胴１は有底で上端を開口させるとともに、該上端には取り付けネジ３を介してヘッド部２が気密に取り付けられ、内部には消火薬剤および小型ガスボンベ（図示省略）が装填される。  またヘッド部２は片側側面方向に向けて固定ハンドル５が取り付けられるとともに、該固定ハンドル５の基部には管胴１内の小型ガスボンベを開封し、内部消火薬剤をガス圧によって外部一定方向に向けて放射するための操作レバー４が回動ピンを介して回動自在に取り付けられ、さらに該操作レバー４の反対側側面には放射ホース７が取り付けられる。
【００１３】
さらにキャップ８は、プラスチック等の比較的固い材質の樹脂材にて構成され、ヘッド部２の全体を覆うに十分な内容積を有すると共に、管胴１の上端に有する凸条あるいは平坦部分からなる肩部分１ａに被嵌されるべく、底面には肩部分１ａと略同径の開口部９が形成され、さらに該開口部９から片側の側面にかけて固定ハンドル４および操作レバー５を突出させるためのスリット１０を、また上記開口部９から反対側の側面にかけて放射ホース７を突出させるためのスリット１１を、それぞれ形成してなり、上記したスリット１０および１１を形成したことにより、キャップ８全体の弾性を生じ、不用意な外部圧力による変形に対しても緩衝作用を発揮してキャップ８の破壊が低減でき、また開口部９の弾性を利用して管胴１の上端肩部分１ａに嵌合することもできる。
【００１４】
さらに上記キャップ８は、透明もしくは半透明の材料にて構成されると、例えばＯＫピン等のヘッド部２における使用済み表示の存在をキャップ８を嵌合させたままの状態にて外部から一目瞭然に視認することができ、また非常時における安全ピン６の抜き取り操作をあらかじめ外部から知らしめることができる。  またキャップ８は、管胴１の上端に有するヘッド部２を覆うように、固定ハンドル４および操作レバー５、さらに放射ホース７をスリット１０および１１からそれぞれ突出させた状態にて単に被せただけでも良いが、図４にあらわしたようにキャップ８における開口部９の開口縁内側に、周方向に続く凹溝９ａを形成し、これを管胴１の肩部分付近に有するところの外方に突出する環状の溶接ビード１ｂに弾性的に嵌合させるようにしてもよい。
【００１５】
また図５〜６には、本発明の第２実施例があらわされている。  これは管胴１の上端に被嵌されるところの、ヘッド部を覆うキャップ２８が、底面にヘッド部２の取り付けネジ３と略同径の開口部２９を有するとともに、該開口部２９から片側の側面にかけて固定ハンドル５および操作レバー４の突出用スリット３０を、また上記開口部２９から反対側の側面にかけて放射ホース７の突出用スリット３１を、それぞれ形成してなるものであり、これによってキャップ２８をヘッド部２を覆うとともに、その開口部２９を取り付けネジ３の外周面に添わせて被嵌するようになっている。
【００１６】
なおこの場合においても上記開口部２９を取り付けネジ３の外周面に添わせるだけでなく、開口部２９の端縁に内側に突出する突起部２９ａを周方向に連続させ、または周方向間欠的箇所に形成し、この突起部２９ａを上記取り付けネジ３の外周端縁角部分に弾性的に嵌合させる（図６の部分拡大図参照）ようにしてもよい。
【００１７】
さらに図７には本発明の第３実施例があらわされている。  この場合にはキャップ３８の略上端に、ヘッド部２に取り付けられるところの操作レバー４の作動を規制する安全ピン（安全栓）６の引き抜き用円形フック６ａを外部に突出させるためのピン穴３２が形成されており、安全ピン（安全栓）６の円形フック６ａを外部に突出させた状態にてキャップ３８がヘッド部２に被せられ、非常時においては安全ピン（安全栓）６の引き抜き、またはキャップ３８の取り外しのいずれを先にしてもよいように構成されている。
【００１８】
さらに図８〜９には本発明の第４実施例があらわされている。  この場合には管胴１の上端に被嵌されるところの、ヘッド部２を覆うキャップ４８には、底面に管胴１の上端の肩部分と略同径の開口部４９を有するとともに、該開口部４９から片側の側面にかけて固定ハンドル５および操作レバー４突出用スリット４０を、また上記開口部から反対側の側面にかけて放射ホース突出用スリット４１を、それぞれ形成してなるとともに、さらにその上端部に指穴４３が形成されており、これにより非常時には該指穴４３から指先を差し込んで内部の安全ピン（安全栓）６の引き抜き用の円形フック６ａを摘まみ、そのままの状態においてキャップ４８を上方に持ち上げてヘッド部２からキャップ４８の取り外しと安全ピン（安全栓）６の引き抜きの両操作を１作業にて同時におこなうことができるようにしたものである。
【００１９】
さらに図１０には本発明の第５実施例があらわされている。  これはキャップ１８と安全ピン６とを一体化して安全ピン６をキャップ１８に付設させたものであって、具体的にはヘッド部２に備えられているところの、操作レバーの作動を規制する安全ピン６のフック部分６ａ（前記第１実施例における円形フック６ａに相当）をキャップ１８の内面側上方部に連続させて一体に成型したものであり、これによりキャップ１８を上方に取り外すことにより、同時に安全ピン６をヘッド部２から引き抜くことができるようにしたものである。
【００２０】
なお下面に開口部１９が形成され、しかも該開口部１９の大きさ、ならびに該開口部１９から片側の側面にかけて固定ハンドル５および操作レバー４を突出させるためのスリット２０を、また上記開口部１９から反対側の側面にかけて放射ホース７を突出させるためのスリット２１が形成されていることをはじめとした、その他の構成については前記第１実施例の場合と全く同様である。
【００２１】
さらに図１１には本発明の第６実施例があらわされている。  これは上記した第５実施例の発明における、操作レバーの作動を規制する安全ピン６のフック部分６ａ（前記第１実施例における円形フック６ａに相当）をキャップ１８の内面側上方部に連続させて一体に成型したキャップ１８の上端部近くの側面に、反対側面側に連通する指穴１８ａを形成したものであって、これにより非常時のキャップ１８と安全ピン６の引き抜きとを、より一層容易にしたものである。
【００２２】
上記した各実施例の構成において、キャップ８、１８、２８、３８、４８を管胴１上端のヘッド部２に、その片側に形成したスリット１０、２０、３０、４０から固定ハンドル５および操作レバー４を、また反対側面に形成したスリット１１、２１、３１、４１から放射ホース７を、それぞれの一部を外方に突出させた状態にて被せるとともに、その底面側開口部９、１９、２９、３９を管胴１上端の肩部分１ａもしくは取り付けネジ３に被嵌させて装着する。
【００２３】
また緊急時にはキャップ８、１８、２８、３８、４８を被嵌装着した状態のままでハンドル５を持って消火器を火災発生箇所に搬送することができ、目的箇所においてキャップ８、１８、２８、３８、４８を上方に向けて取り外し、安全ピンの円形フック６ａ内に指を挿入して安全ピン６を上方に引き抜いた後、あるいはキャップの取り外しに伴って安全ピン６を同時に引き抜いたうえで、操作レバー４を操作（下方向に回動させる）して管胴１内の小型ガスボンベを開封し、圧力ガスを噴出させることにより、圧力ガスとともに消火薬剤を、放射ホース７を介して火災発生箇所に向けて放射する。
【００２４】
【発明の効果】
本発明は上記した通り、内部に消火薬剤を充填した有底の管胴と、該管胴の上端開口部に取り付けられるヘッド部と、該ヘッド部に取り付けられた放射ホースと、該放射ホースにより内部消火薬剤をガス圧によって外部一定方向に向けて放射するための操作レバーとからなり、前記管胴上端にはヘッド部を覆うキャップが被嵌されてなるものであるために、管胴やヘッド部の全体をビニール袋や透明な熱収縮性フィルムにより被覆する従来の被覆手段に比べ、緊急の使用時において操作レバーの操作を阻害するおそれが全くなく、また外観性ならびに視認性（注意喚起性）の面においても大幅に改善することができ、さらに風によるキャップの飛散のおそれもない。
【００２５】
また管胴上端に被嵌されるところの、ヘッド部を覆うキャップは底面に管胴上端の肩部分、あるいはヘッド部の取り付けネジの外径と略同径の開口部を有するとともに、該開口部から片側の側面にかけて固定ハンドルおよび操作レバー突出用スリットを、また上記開口部から反対側の側面にかけて放射ホース突出用スリットを、それぞれ形成してなるものであるために、複雑な形状のヘッド部を合理的に被覆することができ、これによって消火器を緊急運搬する際に、上記複雑なヘッド部分によって怪我をすることも防ぐことができ、またキャップを装着したままで固定ハンドルを持って運搬することも可能であり、さらに下面開口部の弾力性を確保することができ、これによって管胴上端肩部に対する嵌合が可能となる。
【００２６】
またこれに加えて管胴上端に被嵌されるところの、ヘッド部を覆うキャップには、その開口縁部内周側に向けて突出させた突起部を形成し、該突起部を管胴上端肩部分の外周縁に外方に向けて突出形成された溶接ビードに弾性的に嵌合させるようにした場合においては、キャップが強風により飛ばされたり、また傾いたりして消火器の外観を損なうおそれもなくなる。  さらに管胴上端に被嵌されるところの、ヘッド部を覆うキャップは、その略上端に、ヘッド部に取り付けられるところの操作レバーの作動を規制する安全ピン（安全栓）の円形フックを外部に突出させるためのピン穴が形成されている場合には、先に安全ピン（安全栓）の引き抜き操作をおこなってからキャップを取り外すために緊急時の対応がより一層迅速になる。
【００２７】
さらにヘッド部を覆うキャップには、その上端部に指穴が形成されているために、キャップの指穴から指先をキャップ内に入れて、内部の安全ピン（安全栓）を摘まみ、該安全ピン（安全栓）の引き抜きと同時にキャップを上方に向けて取り外すことができ、操作が１工程ですみ、緊急時の対応がさらに迅速になる。  さらにヘッド部を覆うキャップには、内側に操作レバーの作動を規制する安全ピン（安全栓）が付設されているために、キャップを上方に取り外すことにより、同時に安全ピンをヘッド部から引き抜くことができ、緊急時における消火器使用者の操作の迷いを無くし、直ちに十分な消火活動を開始することができる。
【００２８】
さらに上記キャップは透明もしくは半透明であるために、複雑な構成の醜いヘッド部をいくぶんシンプルに覆うことができるにもかかわらず、ヘッド部に取り付けられているＯＫピンなどの使用済み表示を、キャップを装着したままの状態において外部から容易に視認することができる。
【図面の簡単な説明】
【図１】本発明の第１実施例であるキャップを装着した状態の、キャップの部分のみ断面であらわした消火器の正面図。
【図２】図１の消火器において、キャップのみを半裁断面であらわした状態をあらわした消火器の左側面図
【図３】図１において使用されているキャップの全体を拡大してあらわした斜視図。
【図４】図１の消火器において、キャップの開口部を、消火器管胴上端肩部分に外方に突出させた溶接ビードに嵌合させるようにしたところの、キャップの部分のみ断面であらわした消火器の要部正面図。
【図５】本発明の第２実施例であるキャップを装着した状態の、キャップの部分のみ断面であらわした消火器の正面図。
【図６】図５の消火器において、キャップの開口部を、ヘッド部の取り付けネジ外周端角部に嵌合させるようにしたところの、キャップの部分のみ断面であらわした消火器の要部正面図。
【図７】本発明の第３実施例であるキャップを装着した状態の、キャップの部分のみ断面であらわした消火器の正面図。
【図８】本発明の第４実施例であるキャップを装着した状態の、キャップの部分のみ断面であらわした消火器の正面図。
【図９】図８において使用されているキャップの全体を拡大してあらわした斜視図。
【図１０】本発明の第５実施例であるキャップを装着した状態の、キャップの部分のみ断面であらわした消火器の要部正面図。
【図１１】本発明の第６実施例であるキャップを装着した状態の、キャップの部分のみ断面であらわした消火器の要部正面図。
【符号の説明】
１        管胴
１ａ      肩部分
１ｂ      溶接ビード
２        ヘッド部
３        取り付けネジ
４        操作レバー
５        固定ハンドル
６        安全ピン
６ａ      円形フック
７        放射ホース
８        キャップ
９        開口部
９ａ      凹溝
１０      スリット
１１      スリット
１８      キャップ
１８ａ    指穴
１９      開口部
２０      スリット
２１      スリット
２８      キャップ
２９      開口部
２９ａ    突起部
３０      スリット
３１      スリット
３８      キャップ
３９      開口部
４０      スリット
４１      スリット
４３      指穴
４８      キャップ
４９      開口部
【図１】
0004054883.tif 000002
【図２】
0004054883.tif 000003
【図３】
0004054883.tif 000004
【図４】
0004054883.tif 000005
【図５】
0004054883.tif 000006
【図６】
0004054883.tif 000007
【図７】
0004054883.tif 000008
【図８】
0004054883.tif 000009
【図９】
0004054883.tif 000010
【図１０】
0004054883.tif 000011
【図１１】
0004054883.tif 000012